(57)【要約】【課題】  ショート端子の交換を簡易に行う。【解決手段】  ハウジング１０に設けられた収容孔１９には、丸棒状のショート端子３０が装着される。収容孔１９の開口部２１には、弾性撓み可能なゴム製のカバー３５が装着され、このカバー３５によりショート端子３０が弾性的に係合保持される。相手コネクタが嵌合されると、相手の雄端子金具がショート端子３０により短絡される。ショート端子３０は、カバー３５による弾性係合を解除することで、ハウジング１０から簡易に取り外すことができ、ショート端子３０の交換にあたってコネクタ全体を破棄する必要がない。また、ショート端子３０を回転させることで、相手の雄端子金具との接触領域を変位させることができるため、ショート端子３０の摩耗を抑えることができる。【選択図】  図１
2005158599.tif 000002
【特許請求の範囲】
【請求項１】
コネクタハウジングと、このコネクタハウジングと嵌合される相手コネクタの有する複数の相手側端子を短絡させるショート端子とを備えたコネクタにおいて、
前記ショート端子は、前記コネクタハウジングに対して着脱可能とされるとともに、このショート端子を前記コネクタハウジングに対し装着状態に保持する保持状態と、弾性撓みすることでショート端子の前記コネクタハウジングからの離脱を許容する解除状態との間で弾性的に変位する弾性変位部を有する保持手段が設けられていることを特徴とするコネクタ。
【請求項２】
前記保持手段は、装着された前記ショート端子に対して弾性的に係合することで、そのショート端子を保持することを特徴とする請求項１に記載のコネクタ。
【請求項３】
前記ショート端子は、短絡すべき前記複数の相手側端子の配列方向に沿って移動させつつ、前記コネクタハウジング内の収容空間に対して着脱可能とされるとともに、前記保持手段として、前記収容空間の出入り口には、前記ショート端子をその装着方向に弾性的に押さえ付けて保持するカバーが開閉可能に設けられていることを特徴とする請求項２に記載のコネクタ。
【請求項４】
前記ショート端子は、前記コネクタハウジングに対する装着方向に沿って細長い棒材よりなることを特徴とする請求項３に記載のコネクタ。
【請求項５】
前記ショート端子は、外周面が丸い棒材であって、前記収容空間内で中心軸周りに回転可能とされるとともに、その外周面に相手側端子が接触するようにしたことを特徴とする請求項４に記載のコネクタ。
【請求項６】
前記コネクタハウジングには、前記保持手段として、弾性撓み可能なランスが設けられる一方、前記ショート端子には、相手側端子に対し弾性的に接触可能な弾性接触片と、前記ランスが係止可能な被係止部とが設けられていることを特徴とする請求項２に記載のコネクタ。
【請求項７】
前記ショート端子には、前記弾性接触片を囲む角筒部が設けられ、この角筒部に前記被係止部が設けられていることを特徴とする請求項６に記載のコネクタ。
【請求項８】
前記保持手段は、前記コネクタハウジングに対してヒンジ部を介して一体に設けられた抜止部材よりなり、この抜止部材は、前記弾性変位部として弾性撓み可能なロック片を有し、このロック片を前記コネクタハウジング側に設けられた被ロック部に係止させることで前記抜止部材がコネクタハウジングに弾性的に保持されるとともに、前記ショート端子が抜け止めされることを特徴とする請求項２に記載のコネクタ。
【発明の詳細な説明】
【技術分野】
【０００１】
本発明は、コネクタに関し、特に複数の相手側端子を短絡させるショート端子を備えたコネクタに関する。
【背景技術】
【０００２】
この種のコネクタとして、例えば下記の特許文献１に記載されたものがある。このものは、合成樹脂製のコネクタハウジングに、複数の雄タブを有するショート端子を圧入して取り付けたもので、このコネクタを相手コネクタと嵌合することで、複数の相手側端子がショート端子を介して短絡されるようになっている。
【特許文献１】特開２０００−１７３７３３公報
【発明の開示】
【発明が解決しようとする課題】
【０００３】
このようなショート端子を備えたコネクタでは、相手コネクタとの嵌合・離脱が何度も繰り返されると、ショート端子と相手側端子との接触部が摩耗したり、あるいは弾性接触片を有する雌型のショート端子の場合にはその弾性接触片がヘタリを生じたりすることがある。このような場合に両端子間で接触不良が生じることを防止するためには、ショート端子を新しいものに交換する必要があるが、ショート端子はコネクタハウジングに対し圧入やインサート成形等によって一体的に保持されているため、結局コネクタ全体を破棄せざるを得ないという問題があった。
本発明は上記のような事情に基づいて完成されたものであって、ショート端子の交換を簡易に行うことの可能なコネクタを提供することを目的とする。
【課題を解決するための手段】
【０００４】
上記の目的を達成するための手段として、請求項１の発明は、コネクタハウジングと、このコネクタハウジングと嵌合される相手コネクタの有する複数の相手側端子を短絡させるショート端子とを備えたコネクタにおいて、前記ショート端子は、前記コネクタハウジングに対して着脱可能とされるとともに、このショート端子を前記コネクタハウジングに対し装着状態に保持する保持状態と、弾性撓みすることでショート端子の前記コネクタハウジングからの離脱を許容する解除状態との間で弾性的に変位する弾性変位部を有する保持手段が設けられているところに特徴を有する。
【０００５】
請求項２の発明は、請求項１に記載のものにおいて、前記保持手段は、装着された前記ショート端子に対して弾性的に係合することで、そのショート端子を保持するところに特徴を有する。
【０００６】
請求項３の発明は、請求項２に記載のものにおいて、前記ショート端子は、短絡すべき前記複数の相手側端子の配列方向に沿って移動させつつ、前記コネクタハウジング内の収容空間に対して着脱可能とされるとともに、前記保持手段として、前記収容空間の出入り口には、前記ショート端子をその装着方向に弾性的に押さえ付けて保持するカバーが開閉可能に設けられているところに特徴を有する。
【０００７】
請求項４の発明は、請求項３に記載のものにおいて、前記ショート端子は、前記コネクタハウジングに対する装着方向に沿って細長い棒材よりなるところに特徴を有する。
【０００８】
請求項５の発明は、請求項４に記載のものにおいて、前記ショート端子は、外周面が丸い棒材であって、前記収容空間内で中心軸周りに回転可能とされるとともに、その外周面に相手側端子が接触するようにしたところに特徴を有する。
【０００９】
請求項６の発明は、請求項２に記載のものにおいて、前記コネクタハウジングには、前記保持手段として、弾性撓み可能なランスが設けられる一方、前記ショート端子には、相手側端子に対し弾性的に接触可能な弾性接触片と、前記ランスが係止可能な被係止部とが設けられているところに特徴を有する。
【００１０】
請求項７の発明は、請求項６に記載のものにおいて、前記ショート端子には、前記弾性接触片を囲む角筒部が設けられ、この角筒部に前記被係止部が設けられているところに特徴を有する。
【００１１】
請求項８の発明は、請求項２に記載のものにおいて、前記保持手段は、前記コネクタハウジングに対してヒンジ部を介して一体に設けられた抜止部材よりなり、この抜止部材は、前記弾性変位部として弾性撓み可能なロック片を有し、このロック片を前記コネクタハウジング側に設けられた被ロック部に係止させることで前記抜止部材がコネクタハウジングに弾性的に保持されるとともに、前記ショート端子が抜け止めされるところに特徴を有する。
【発明の効果】
【００１２】
＜請求項１の発明＞
ショート端子は、保持手段による弾性係合を解除することで、コネクタハウジングから簡易に取り外すことができ、ショート端子の交換にあたってコネクタ全体を破棄する必要がない。
【００１３】
＜請求項２の発明＞
ショート端子が保持手段により弾性的に保持されるため、ショート端子に対し何らかの外力が加わったときに、ショート端子に応力集中が生じることを防止できる。
【００１４】
＜請求項３の発明＞
カバーで収容空間の出入り口を閉じることでショート端子が保持され、開くことでショート端子の着脱が許容される状態となる。これにより、簡易な構成でショート端子を着脱可能とすることができる。
【００１５】
＜請求項４の発明＞
ショート端子がコネクタハウジングに対する装着方向に沿って細長い棒材であるから、収容空間の出入り口の大きさやカバーの大きさを小さく留めることができる。従って、例えば収容空間の出入り口を設けることによるコネクタハウジングの強度低下を防ぐことができる。
【００１６】
＜請求項５の発明＞
ショート端子を回転させることで、相手側端子との接触領域を変位させることができるため、ショート端子の摩耗を抑えることができる。
【００１７】
＜請求項６の発明＞
ランスを弾性撓みさせつつショート端子を装着できるので、挿入済みのショート端子を保持するための別作業が不要である。
【００１８】
＜請求項７の発明＞
弾性接触片を角筒部で覆っているので、ショート端子を単体で扱う場合に弾性接触片を保護できる。
【００１９】
＜請求項８の発明＞
抜止部材は、ヒンジ部を介してコネクタハウジングに一体に設けられているため、部品点数の増加を抑えることができる。
【発明を実施するための最良の形態】
【００２０】
＜第１実施形態＞
本発明の第１実施形態を図１から図４を参照して説明する。
本実施形態のコネクタは、相手の機器側コネクタ４０と嵌合可能なコネクタハウジング１０（以下、ハウジングという）を備えている。なお、以下の説明では、機器側コネクタ４０との嵌合面側を前方として説明する。
【００２１】
ハウジング１０は、合成樹脂からなり、横長略箱形状のハウジング本体１１と、このハウジング本体１１から前方へ突出する略角筒状のフード部１２とを備えている。ハウジング本体１１の後端には、左右方向の中央から取付孔１３Ａを有した板状の取付部１３が上下に延出して形成されている。
ハウジング本体１１の正面から視て左部には、雄端子金具１４が収容される計４つのキャビティ１５が２列に並んで形成され、その雄端子金具１４のタブ部１４Ａがフード部１２内に突出されている。フード部１２内には機器側コネクタ４０の嵌合部４１が嵌入されるようになっている。
また、ハウジング本体１１の正面から視て右部には、その前端に前壁１７が設けられ、この前壁１７には、左右に並んだ一対の端子挿入孔１８が上下２段に分かれて形成されている。各端子挿入孔１８は、横長形状で前面側の開口縁がテーパ状をなし、ここに機器側コネクタ４０の雄端子金具４２を挿入可能とされている。
【００２２】
ハウジング本体１１には、前壁１７から後方に所定長さ離間した位置に、後述するショート端子３０を収容可能な収容孔１９（本発明の「収容空間」に相当）が設けられている。この収容孔１９は、ハウジング本体１１の略右半分を左右方向に横切るようにして設けられ、ハウジング本体１１の右側面に開口している。収容孔１９は、ハウジング本体１１の後方からの型抜きにより成形される半円弧状の前側縁部１９Ａと、前方からの型抜きにより成形される半円弧状の後側縁部１９Ｂとを左右方向に複数並べて形成することで円柱状の空間として形作られている。また、収容孔１９の中心軸は、ハウジング本体１１の高さ方向の中央にあって、各端子挿入孔１８からの距離が等しくされている。ハウジング本体１１の右側面に設けられた収容孔１９の開口部２１（本発明の「出入り口」に相当）は、その周縁部分が後方に開放したＵ字形の段差状をなしており、後述のカバー３５を装着可能となっている。
【００２３】
ショート端子３０は、導電性の金属棒材からなり、外周面の丸い円柱状をなしている。ショート端子３０の外径は収容孔１９の内径よりもやや小さくされ、その長さは収容孔１９の長さとほぼ同程度とされている。
カバー３５（本発明の「保持手段」及び「弾性変位部」に相当）は、適度な弾力性を有したゴム材料によって板状に形成され、収容孔１９の開口部２１に対して開閉可能に装着される。カバー３５を開口部２１に装着する際には、カバー３５全体を弾性的に圧縮させつつ開口部２１の段差部分の内側に嵌め付けられる。このとき、カバー３５の内面を収容孔１９内のショート端子３０の端面に押し当てることで、ショート端子３０が抜け止めされるとともに、ショート端子３０がカバー３５によって弾性的に係合保持された状態となる。なお、カバー３５をショート端子３０を収容した収容孔１９の開口部２１に装着した状態がショート端子３０を保持する保持状態であり、カバー３５を開口部２１から外した状態がショート端子３０の収容孔１９に対する挿抜を許容する解除状態である。
【００２４】
機器側コネクタ４０は、図示しない機器に一体的に形成された嵌合部４１を備えており、この嵌合部４１はフード部１２内に嵌合可能とされている。嵌合部４１には、雄端子金具１４のタブ部１４Ａと接続可能な雌端子金具（図示せず）が設けられるとともに、その前面からは左右に並んだタブ状の雄端子金具４２（本発明の「相手側端子」に相当）が計４本突設されている。
【００２５】
本実施形態は以上の構成であり、次にその作用を説明する。
まずハウジング１０の開口部２１より収容孔１９内にショート端子３０を左右方向（相手の雄端子金具４２の配列方向）に沿って挿入する。そして、カバー３５を圧縮しつつ収容孔１９の開口部２１を塞ぐように嵌め込むとともに、カバー３５の内面をショート端子３０の端面に当てて、カバー３５でショート端子３０をその装着方向に押さえ付けるようにする。これにより、カバー３５がハウジング１０に対し弾性的に保持されるとともに、ショート端子３０がカバー３５により弾性的に係合保持される。即ち、ショート端子３０は、カバー３５により弾性的に保持されていることから、収容孔１９内で前後上下方向へ僅かに移動可能とされ、また長さ方向の軸周りに回転可能となっている。続いて、ハウジング１０の各キャビティ１５に雄端子金具１４を挿入する。
【００２６】
次に、ハウジング１０のフード部１２内に機器側コネクタ４０の嵌合部４１を嵌合すると、雄端子金具１４のタブ部１４Ａが嵌合部４１側の雌端子金具に差し込まれて雌雄の端子金具が互いに電気的に接続される。これと同時に、嵌合部４１より突出する雄端子金具４２が端子挿入孔１８よりハウジング１０の内部に挿入され、各雄端子金具４２がショート端子３０の外側面に接触して、各雄端子金具４２が短絡される。ここで、ショート端子３０の位置にはある程度のばらつきがあり、また相手の雄端子金具４２の位置にも各部の寸法誤差やクリアランス等に起因してある程度のばらつきがあることから、両コネクタ１０，４０の嵌合の途中で上下の雄端子金具４２の一方が先にショート端子３０に接触する場合があり、このような場合には、例えばショート端子３０がその雄端子金具４２との摩擦により中心軸回りに若干回転する。また、ショート端子３０の中心軸の位置が上下の雄端子金具４２の中央位置より一方側に偏っていたような場合には、ショート端子３０がその一方側の雄端子金具４２に押圧されて他方側に若干移動して、他方側の雄端子金具４２に接触する。
【００２７】
なお、機器側コネクタ４０との嵌合前の状態で、ハウジング１０内に異物が侵入してショート端子３０に当接した場合など、ショート端子３０に何らかの外力が加わったようなときには、ショート端子３０がカバー３５により弾性的に保持されていることから、ショート端子３０が前述のように収容孔１９内で回転したり、移動したりすることで、ショート端子３０に応力集中が生じることが防がれる。
【００２８】
メンテナンス等でショート端子３０を交換する際には、カバー３５を撓ませつつ収容孔１９の開口部２１より外す。これにより、カバー３５によるショート端子３０の弾性係合が解除されるため、収容孔１９よりショート端子３０を抜きだすことができる。その後、新しいショート端子３０を前述の要領でハウジング１０に装着する。
【００２９】
以上のように本実施形態によれば、ショート端子３０は、カバー３５による弾性係合を解除することで、ハウジング１０から簡易に取り外すことができ、ショート端子３０の交換にあたってコネクタ全体を破棄する必要がない。
また、ショート端子３０がカバー３５により弾性的に保持されるため、ショート端子３０に対し何らかの外力が加わったときに、ショート端子３０に応力集中が生じることを防止できる。
【００３０】
さらに、カバー３５で収容孔１９の開口部２１を閉じることでショート端子３０が保持され、開くことでショート端子３０の着脱が許容される状態となる。これにより、簡易な構成でショート端子３０を着脱可能とすることができる。
また、ショート端子３０がハウジング１０に対する装着方向に沿って細長い棒材であるから、収容孔１９の開口部２１の大きさやカバー３５の大きさを小さく留めることができる。従って、例えば開口部２１を設けることによるハウジング１０の強度低下を防ぐことができる。また、ショート端子３０は棒状なので特殊な加工を要することなく製造でき、コストを抑えることができる。
【００３１】
また、ショート端子３０を回転させることで、相手の雄端子金具４２との接触領域を変位させることができるため、ショート端子３０の摩耗を抑えることができる。特に本実施形態では、機器側コネクタ４０と嵌合・離脱を繰り返した場合でも、雄端子金具４２との摩擦によってショート端子３０が若干回転することで、ショート端子３０の雄端子金具４２との接触領域が一カ所に集中せずに移動するため、ショート端子３０が摩耗しにくく、長期に渡って良好な接触状態を確保できる。なお、ショート端子３０の雄端子金具４２に対する接触領域を変位させるには、カバー３５を一旦外してから手で回転させ、再びカバー３５を元のように装着するようにしても良い。
【００３２】
＜第２実施形態＞
次に、本発明の第２実施形態を図５から図１０を参照して説明する。なお、以下の説明において、第１実施形態と同様の構成については、第１実施形態と同一の符号を付して説明を省略する。
本実施形態のハウジング５０には、図５から図８に示すように、ハウジング本体５１における正面から視て右部に、後方に開口した略方形断面の端子収容部５２が左右に一対並んで形成され、ここに後述のショート端子６０を挿入可能となっている。各端子収容部５２の前端には、ショート端子６０の前止まりとなる前壁５３が設けられるとともに、この前壁５３には機器側コネクタ４０の雄端子金具４２を挿入可能な上下一対の端子挿入孔５３Ａが設けられている。各端子収容部５２における左右両内側壁には、斜め前方内側へ向けて片持ち状に延出したランス５４（本発明の「保持手段」及び「弾性変位部」に相当）が形成されている。ランス５４の先端には、端子収容部５２の内側に突出した係止突起５４Ａと、前方へ突出した解除突起５４Ｂとが設けられている。ランス５４は、係止突起５４Ａがショート端子６０に係止する保持状態と、ショート端子６０に対する係止が解除される解除状態との間で内外（左右方向）に撓み変形可能とされている。また、前壁５３には、各ランス５４の前方位置に治具挿入孔５５が開口している。
【００３３】
ショート端子６０は、導電性の金属板材から形成されており、図９及び図１０に示すように、前後に開口する角筒部６１（本発明の「被係止部」に相当）と、その内部に囲われた状態で設けられた上下一対の弾性接触片６２とを備え、全体として上下対称構造をなしている。弾性接触片６２は、角筒部６１の前面、上下方向の中央付近から斜め後上方及び斜め後下方へ延出した舌片状をなしており、上下に撓み変形可能とされている。各弾性接触片６２の略中央には、外側へ突出した接触突起６３が設けられる一方、角筒部６１の上下面には、弾性接触片６２に対向して前後に細長く突出する一対の挟圧突起６４が設けられ、弾性接触片６２と角筒部６１の上下面の間に相手の雄端子金具４２が差し込まれると、弾性接触片６２が弾性撓みするとともにその雄端子金具４２が弾性接触片６２の接触突起６３と角筒部６１の挟圧突起６４との間に挟まれて、雄端子金具４２とショート端子６０との電気的接触が取られるようになっている。また、角筒部６１の上面の左端、下面の右端には、それぞれ前後方向に沿った誤挿入防止リブ６５が突設され、これらの誤挿入防止リブ６５がハウジング５０の端子収容部５２の内壁に対応して設けられた溝部５６に嵌め込まれるようになっており、これによりショート端子６０の横転姿勢での挿入が防止される。
【００３４】
組み付けに際しては、ショート端子６０を各端子収容部５２へ後方から挿入する。角筒部６１の前端がランス５４に突き当たると、各ランス５４が外側に撓み変形して解除状態に至る。ショート端子６０がさらに押し込まれて、前壁５３に突き当たる正規の深さ位置まで挿入されると、ランス５４が復元変形して保持状態に至るとともに、係止突起５４Ａが角筒部６１の後端に係合し、これによりショート端子６０がハウジング５０に対し弾力的に保持され、抜け止め状態となる。
ここで、ハウジング５０内に異物が侵入してショート端子６０に当接した場合など、ショート端子６０に何らかの外力が加わったようなときには、ショート端子６０がランス５４により弾性的に保持されていることから、ショート端子６０が若干移動することで、ショート端子３０に応力集中が生じることが防がれる。
【００３５】
続いて、ハウジング５０の各キャビティ１５に対応する雄端子金具１４を装着した後、フード部１２に機器側コネクタ４０の嵌合部４１を嵌合すると、相手側の雄端子金具４２が各端子挿入孔５３Ａより端子収容部５２内に挿入される。そして、各雄端子金具４２が弾性接触片６２を撓み変形させつつ弾性接触片６２と角筒部６１の上下面との間に進入して、接触突起６３と挟圧突起６４との間に挟圧保持される。これにより、各雄端子金具４２がショート端子６０に電気的に接続され、ショート端子６０を介して短絡される。
【００３６】
ハウジング５０よりショート端子６０を取り外すときには、前壁５３の治具挿入孔５５より治具（図示せず）を挿入して、内部のランス５４の解除突起５４Ｂを押圧し、ランス５４を解除状態へ撓み変形させる。これにより、ランス５４とショート端子６０との係合が外れるため、ショート端子６０を端子収容部５２より抜き出すことができる。
【００３７】
以上のように本実施形態によれば、ショート端子６０は、ランス５４による弾性係合を解除することで、ハウジング５０から簡易に取り外すことができ、ショート端子６０の交換にあたってコネクタ全体を破棄する必要がない。
また、ショート端子６０がランス５４により弾性的に保持されるため、ショート端子６０に対し何らかの外力が加わったときに、ショート端子６０に応力集中が生じることを防止できる。
【００３８】
さらに、ランス５４を弾性撓みさせつつショート端子６０を装着できるので、挿入済みのショート端子６０を保持するための別作業が不要である。
また、弾性接触片６２を角筒部６１で覆っているので、ショート端子６０を単体で扱う場合に弾性接触片６２を保護できる。
【００３９】
＜第３実施形態＞
次に、本発明の第３実施形態を図１１から図１３を参照して説明する。なお、以下の説明において、上記各実施形態と同様の構成には、同一の符号を付して説明を省略する。
本実施形態のショート端子７０は、導電性の金属板材から形成されており、上下一対の弾性接触片７１を備え、全体として上下対称構造をなしている。弾性接触片７１は、ショート端子７０の前端面からそれぞれ斜め後上方及び斜め後下方へ延出した舌片状をなしており、上下方向に撓み変形可能とされている。各弾性接触片７１の略中央には、外向きに突出した接触突起７２が設けられている。また、ショート端子７０の前端面における左右両側端からは、筒状をなした一対の被係止部７３が後方へ延出して形成されている。
【００４０】
一方、ハウジング７５には、ハウジング本体７６における正面から視て右部に、後方に開口した略長方形断面の端子収容部７７が左右に一対並んで形成され、ここに前述のショート端子７０を挿入可能となっている。各端子収容部７７における左右両内側壁には、斜め前方内側へ向けて片持ち状に延出したランス７８（本発明の「保持手段」及び「弾性変位部」に相当）が形成されている。ランス７８の先端には、端子収容部７７の内側に突出した係止突起７８Ａと、前方へ突出した解除突起７８Ｂとが設けられている。ランス７８は、係止突起７８Ａがショート端子７０の被係止部７３に係止してショート端子７０を抜け止め状態に保持する保持状態と、被係止部７３に対する係止が解除されてショート端子７０の挿抜を許容する解除状態との間で内外（左右方向）に撓み変形可能とされている。
本実施形態においては、組み付けやショート端子７０の取り外し等の手順は、第２実施形態のものとほぼ同様である。
【００４１】
本実施形態によれば、ショート端子７０は、ランス７８による弾性係合を解除することで、ハウジング７５から簡易に取り外すことができ、ショート端子７０の交換にあたってコネクタ全体を破棄する必要がない。
また、ショート端子７０がランス７８により弾性的に保持されるため、ショート端子７０に対し何らかの外力が加わったときに、ショート端子７０に応力集中が生じることを防止できる。
【００４２】
さらに、ランス７８を弾性撓みさせつつショート端子７０を装着できるので、挿入済みのショート端子７０を保持するための別作業が不要である。
【００４３】
＜第４実施形態＞
次に、本発明の第４実施形態を図１４から図１６を参照して説明する。なお、以下の説明において、上記各実施形態と同様の構成には同一の符号を付して説明を省略する。
本実施形態のハウジング８０には、ハウジング本体８１における正面から視て右部に、後方に開口した略方形断面の端子収容部８２が左右に一対並んで形成され、ここに第２実施形態のものと同様のショート端子６０を挿入可能となっている。また、ハウジング本体８１には、端子収容部８２の後方に抜止部材８３（本発明の「保持手段」に相当）を収容可能な収容凹部８４が形成されている。抜止部材８３は、直方体状をなしており、ハウジング本体８１の右側面から延出された薄肉状のヒンジ部８５を介してハウジング８０と一体に設けられている。また、抜止部材８３の前端からは、上下一対の板状のロック片８６（本発明の「弾性変位部」に相当）が前方へ片持ち状に延出されている。ロック片８６には、ロック孔８６Ａが形成され、上下に撓み変形可能とされている。一方のハウジング本体８１の内部には、ロック片８６の進入可能なロック片進入孔８７が設けられ、その内壁面にロック孔８６Ａに係合可能なロック突起８８（本発明の「被ロック部」に相当）が突設されている。また、ロック突起８８の前方には、治具挿入孔８９が開口している。
【００４４】
ショート端子６０の組み付けに際しては、まず抜止部材８３を収容凹部８４から離脱させた状態で、ショート端子６０を各端子収容部８２に収容した後、ヒンジ部８５を撓ませつつ抜止部材８３を収容凹部８４内に嵌合させる。この嵌合動作の終盤では、抜止部材８３が後方から前方に向かって押し込まれる。ロック片８６がロック突起８８に突き当たると、ロック片８６がロック突起８８に乗り上げるように撓み変形する（解除状態）。そして、抜止部材８３が正規の位置まで嵌合されると、ロック片８６が復元変形するとともにロック片８６のロック孔８６Ａ内にロック突起８８が係合する（保持状態）。これにより、抜止部材８３がロック片８６によって弾性的に保持されるとともに、抜止部材８３が端子収容部８２の後方を塞ぐことによりショート端子６０に対し弾性係合した状態となり、ショート端子６０が抜け止めされる。
【００４５】
ハウジング８０からショート端子６０を取り外すときには、治具挿入孔８９より治具（図示せず）を挿入して、ロック片８６を解除状態へ撓み変形させる。これにより、ロック片８６とロック突起８８との係合が外れて抜止部材８３の嵌合・離脱が許容された状態となり、抜止部材８３が離脱されると、ショート端子６０を端子収容部８２より抜き出すことができる。
【００４６】
本実施形態によれば、ショート端子６０は、ロック片８６による弾性係合を解除することで、ハウジング８０から簡易に取り外すことができ、ショート端子６０の交換にあたってコネクタ全体を破棄する必要がない。
また、ショート端子６０が抜止部材８３により弾性的に保持されるため、ショート端子７０に対し何らかの外力が加わったときに、ショート端子７０に応力集中が生じることを防止できる。
【００４７】
また、抜止部材８３は、ヒンジ部８５を介してハウジング８０に一体に設けられているため、部品点数の増加を抑えることができる。
【００４８】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）第１実施形態において、ショート端子は、平板状など他の形状でも良く、例えば断面形状を楕円、長円、多角形、台形等としても良い。
（２）第１実施形態において、カバーにショート端子の端部を嵌合して保持する嵌合部を設けても良い。
（３）第２〜４実施形態において、ショート端子から複数の雄タブ部を突出させて相手コネクタの有する複数の雌端子金具を短絡するようにしても良い。
【図面の簡単な説明】
【００４９】
【図１】第１実施形態におけるコネクタの平断面図
【図２】コネクタの正面図
【図３】カバーを外した状態のコネクタの側面図
【図４】相手コネクタと嵌合したときの側断面図
【図５】第２実施形態におけるコネクタの平断面図
【図６】コネクタの正面図
【図７】コネクタの背面図
【図８】コネクタの側断面図
【図９】ショート端子の側断面図
【図１０】ショート端子の正面図
【図１１】第３実施形態におけるショート端子の側面図
【図１２】ショート端子の背面図
【図１３】コネクタの平断面図
【図１４】第４実施形態におけるコネクタの平断面図
【図１５】コネクタの側断面図
【図１６】相手コネクタと嵌合したときの側断面図
【符号の説明】
【００５０】
１０，５０，７５，８０…コネクタハウジング
１９…収容孔（収容空間）
２１…開口部（出入り口）
３０，６０，７０…ショート端子
３５…カバー（保持手段、弾性変位部）
４０…機器側コネクタ（相手コネクタ）
４２…雄端子金具（相手側端子）
５４，７８…ランス（保持手段、弾性変位部）
６１…角筒部（被係止部）
６２…弾性接触片
７３…被係止部
８３…抜止部材（保持手段）
８５…ヒンジ部
８６…ロック片（弾性変位部）
８８…ロック突起（被ロック部）
【図１】
2005158599.tif 000003
【図２】
2005158599.tif 000004
【図３】
2005158599.tif 000005
【図４】
2005158599.tif 000006
【図５】
2005158599.tif 000007
【図６】
2005158599.tif 000008
【図７】
2005158599.tif 000009
【図８】
2005158599.tif 000010
【図９】
2005158599.tif 000011
【図１０】
2005158599.tif 000012
【図１１】
2005158599.tif 000013
【図１２】
2005158599.tif 000014
【図１３】
2005158599.tif 000015
【図１４】
2005158599.tif 000016
【図１５】
2005158599.tif 000017
【図１６】
2005158599.tif 000018